(57)【要約】      （修正有）【課題】構造が簡単で、デザインがモダンであり、公知の軽量スチール体積が大きすぎる欠点を改善した照明管の単体設計で、工具なしでスピーディに設置できる軽量スチールの照明具構造を提供する。【解決手段】少なくとも照明管１０及び該照明管両末端に嵌合する二プラグ２０を含む。該プラグは開口部２１及び該開口部一側に成形した掛合部２２を備え、該開口部は照明管末端に嵌合する。また該掛合部は軽量スチールの桁枠を挟着し、照明管を工具なしでスピーディに軽量スチール下方の任意位置に固定する。【選択図】図２
0003168349.tif 000002
【実用新案登録請求の範囲】
【請求項１】
軽量スチールの照明具構造において、少なくとも
少なくとも一発光部品を設置する照明管と、
該照明管両末端に設置し、開口部及び該開口部一側に成形する掛合部を設置し、該開口部は照明管末端に嵌合し、該掛合部は軽量スチールの桁枠に挟着する二プラグを含むことを特徴とする軽量スチールの照明具構造。
【請求項２】
前記掛合部は、該開口部一側から上向きに連接段が伸び、該連接段から開口部上方に重ね、少なくとも一停止接続段が垂直に伸び、該停止接続段と該開口部の間には納置槽を形成し、該納置槽は軽量スチールの桁枠を納置することを特徴とする請求項１記載の軽量スチールの照明具構造。
【請求項３】
前記プラグは、外側周辺縁の掛合部に近い箇所に第一停止部を設置し、該第一停止部と開口部の間には開孔を設置することを特徴とする請求項１記載の軽量スチールの照明具構造。
【請求項４】
前記プラグは、内側周辺縁に少なくとも一第二停止部を設置することを特徴とする請求項１記載の軽量スチールの照明具構造。
【請求項５】
前記発光部品は、発光ダイオードとすることを特徴とする請求項１記載の軽量スチールの照明具構造。
【請求項６】
前記プラグは、半円型を成形し、該プラグ表面には複数の刻み模様を設置することを特徴とする請求項１記載の軽量スチールの照明具構造。
【考案の詳細な説明】
【技術分野】
【０００１】
本考案は、軽量スチールの照明具構造に関するもので、特に軽量スチール上に応用し、設置の便利性及び適用性を備えた軽量スチールの照明具構造に係わる。
【背景技術】
【０００２】
現在、天井に使用される軽量スチールの照明具は、ほとんどが蛍光灯を採用している。該等蛍光灯の具体的な構造は、「軽量スチール設置の照明具」（例として参考文献１）及び「軽量スチール天井型照明具構造」（例として参考文献２）がある。また少数の照明具には「軽量スチール天井用嵌入式球形照明ユニット」（例として参考文献３）の球形照明具もある。図１に示すとおり、現在の伝統的な天井型軽量スチール照明具設備は、通常柵型式の天井の軽量スチール上に、固定柵位置に間隔を開けてそれぞれ天井型照明ボックスを設置する。また該公知の天井型照明ボックス４０は、軽量スチール３０フェンスと同じ面積を備え、軽量スチール３０上方に遮蔽方式設置を採用し、照明ボックス４０と軽量スチール３０を平らな外観にしている。しかしながら、軽量スチールに基づく標準規格は、蛍光灯もしくは球形照明具に関わりなくどちらも照明具のサイズ設計を６０ cm×６０ cmの天井ユニット形式にしなければならず、各種異なる照明輝度の要求や発光部品の数量を適当に調整することができないだけなく、室内装飾によって変化させることも困難である。
【０００３】
更に現在、一般的な照明光源は主に直射式の照明具、例として蛍光灯管を天井に設置する方法を採用しており、蛍光灯管が発する光源は直接下に向かって照射している。現代社会の進歩によって、照明システムの技術も急速に進歩しており、加えて世界的な省エネ要求から各国では将来的に白熱電球の使用を禁止する政策の下、発光ダイオード(LED)は高効率で省エネであり、更に調光性に優れていることから、市場では徐々に代替されており、街灯、カートライト、戸外照明、ムード照明等で応用されている。
【先行技術文献】
【特許文献】
【０００４】
【特許文献１】台湾  特許公告第M３０７０８９号
【特許文献２】台湾  特許公告第４４６０９１号
【特許文献３】台湾  特許公告第４５６４９５号
【考案の概要】
【考案が解決しようとする課題】
【０００５】
解決しようとする問題点は、各種異なる照明輝度の要求や発光部品の数量を適当に調整することができないだけなく、室内装飾によって変化させることも困難である点である。
【課題を解決するための手段】
【０００６】
本考案は、少なくとも照明管及び該照明管両末端に嵌合する二プラグを含む。該プラグは開口部及び該開口部一側に成形した掛合部を備え、該開口部は照明管末端に嵌合する。また該掛合部は軽量スチールの桁枠を挟着し、照明管を工具なしでスピーディに軽量スチール下方の任意位置に固定する。且つ本考案は照明管の単体設計を採用し、構造が簡単で、デザインがモダンであり、公知の軽量スチール体積が大きすぎる欠点を改善したことを最も主要な特徴とする。
【考案の効果】
【０００７】
本考案の軽量スチールの照明具構造は、照明管の単体設計で、工具なしでスピーディに設置できるという利点がある。
【図面の簡単な説明】
【０００８】
【図１】公知のボックス型軽量スチール照明具を設置した立体指示図である。
【図２】本考案の照明具構造の分解図である。
【図３】本考案の照明具構造を軽量スチールに設置した断面図である。
【図４】本考案の照明具構造を軽量スチールに設置した外観立体図である。
【図５】本考案の照明具構造の別の一分解図である。
【考案を実施するための形態】
【０００９】
上述を鑑み、使用者が照明管の補修や交換作業ができ、且つ照明具の設置数量及び位置を自在に選択できる軽量スチールの照明具構造を提供することを本考案の主な目的とする。
【００１０】
上述の目的を達成するため、本考案の照明具構造は、少なくとも照明管及び該照明管の両末端にそれぞれ設置する二プラグを含む。該プラグは、開口部及び該開口部一側に成形した掛合部を設置し、該開口部は照明管末端に嵌合し、該掛合部は軽量スチールの桁枠に挟んで固定し、照明管は工具を使用せずに軽量スチール下方の任意位置にスピーディで簡単に固定し、且つ実際の必要に応じて照明具の設置数量及び位置を自在に選択し、更に本考案は照明管単体設計であるため、簡単でモダンなイメージに富み、伝統的な軽量スチール照明具体積が大きすぎる欠点を改善する。
【実施例】
【００１１】
本考案「軽量スチールの照明具構造」は、図２及び図３に示すとおり、本考案の照明具構造１は、少なくとも照明管１０及び二プラグ２０を含む。そのうち、
【００１２】
照明管１０は、内部に少なくとも一発光部品１１を設置する。該発光部品１１は、発光ダイオードでもよい。
【００１３】
二プラグ２０  は、該照明管１０の両末端に設置する。該プラグ２０は開口部２１及び該開口部２１一側に形成する掛合部２２を設置する。該掛合部２２は、該開口部２１一側から上向きに連接段２２１が伸び、該連接段２２１から開口部２１上方に重ねて少なくとも一停止接続段２２２が垂直に伸びる。また該停止接続段２２２と該開口部２１間には納置槽２２３が形成される。
【００１４】
全体を使用する時、二プラグ２０は開口部２１を該照明管１０の末端に嵌合し、次に二掛合部２２で軽量スチール３０と共に相対する桁枠３１上に挟着する。図３及び図４に示すとおり、該納置槽２２３は、軽量スチールの桁枠３１を納置し、該停止接続段２２２が該桁枠３１上で掛合され、該照明具構造１を該軽量スチールの桁枠３１で固定する。また該天井３２は、該停止接続段２２２上に当てて跨ぎ、天井３２辺縁の露出を防ぎ、天井全体の外観を保つ。当然、該プラグ２０の外型は図２であるが、図5に示す外観のように、該プラグ２０が半円形で、その表面に複数の刻み模様を設置してもよい。
【００１５】
更に、該プラグ２０外周辺縁の掛合部２２に近い箇所に第一停止部２３を設置し、図２及び図３に示すとおり、そのうち該第一停止部２３と開口部２１の間に開孔２４を設置し、該プラグ２０の内周辺縁に少なくとも一第二停止部２５を設置する。該第一停止部２３は、該桁枠３１が該納置槽２２３の位置に入るのを制限し、該照明管１０は各発光部品１１の電源コード１２を連接して該開孔２４から外部へ連接するのに用いる。また該第二停止部２５は、該照明管１０が該開口部２１の位置に入るのを制限する効果を備える。
【００１６】
上述のとおり、本考案は、軽量スチールを応用した実行可能な照明具構造を提供し、実用新案登録を申請する。本考案の技術内容及び技術特徴は上述のとおりであるが、本領域に習熟した者が本考案の提示に基づいて本考案の考案精神から乖離しない各種入替、修飾を行うかもしれない。拠って、本考案の保護範囲は、実施例に制限されず、本考案から乖離しない各種入替、修飾についても以下の請求範囲に含まれるものとする。
【符号の説明】
【００１７】
１        照明具構造
１０      照明管
１１      発光部品
１２      電源コード
２０      プラグ
２１      開口部
２２      掛合部
２２１    連接段
２２２    停止接続段
２２３    納置槽
２３      第一停止部
２４      開孔
２５      第二停止部
３０      軽量スチール
３１      桁枠
３２      天井
４０      天井型照明ボックス
【図１】
0003168349.tif 000003
【図２】
0003168349.tif 000004
【図３】
0003168349.tif 000005
【図４】
0003168349.tif 000006
【図５】
0003168349.tif 000007